(57)【要約】【課題】一対一通信を行う無線通信方式を利用して、遅延を生じさせることなく複数の機器へ情報伝送を行う。【解決手段】本開示に係る通信装置は、ストリーミング情報送信装置からストリーミング情報を受信するストリーミング情報受信部と、前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信するアドレス情報送信部と、を備える。【選択図】図８
2016203877.tif 000002
【特許請求の範囲】
【請求項１】
ストリーミング情報送信装置からストリーミング情報を受信するストリーミング情報受信部と、
前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信するアドレス情報送信部と、
を備える、通信装置。
【請求項２】
前記所定の情報は、前記ストリーミング情報を通信する際の周波数ホッピングに関する情報を含む、請求項１に記載の通信装置。
【請求項３】
ユーザの操作が入力される操作入力部を備え、
前記操作入力部へのユーザの操作入力に応じて予め設定されたグループに属する複数の前記傍受装置へ前記アドレス情報を送信する、請求項１に記載の通信装置。
【請求項４】
前記グループに属する複数の前記傍受装置のリストを記憶する記憶部を備え、
前記傍受装置の少なくとも１つが前記グループを脱退した場合に、脱退した前記傍受装置をリストから削除する、請求項３に記載の通信装置。
【請求項５】
前記アドレス情報とともに、暗号化された前記ストリーミング情報を復号化するためのリンクキーを前記傍受装置へ送信する、請求項１に記載の通信装置。
【請求項６】
前記傍受装置は、前記ストリーミング情報送信装置が送信した前記ストリーミング情報を、前記所定の情報を用いて受信する、請求項１に記載の通信装置。
【請求項７】
ストリーミング情報送信装置からストリーミング情報を受信することと、
前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信することと、
を備える、通信方法。
【請求項８】
ストリーミング情報送信装置からストリーミング情報を受信する手段、
前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信する手段、
としてコンピュータを機能させるためのプログラム。
【請求項９】
ストリーミング情報をストリーミング情報受信装置へ送信するストリーミング情報送信装置から、前記ストリーミング情報を受信するための所定の情報を受信する受信部と、
前記ストリーミング情報送信装置が前記ストリーミング情報受信装置へ送信した前記ストリーミング情報を、前記所定の情報を用いて受信するストリーミング情報受信部と、
を備える、通信装置。
【請求項１０】
前記所定の情報は、前記ストリーミング情報を通信する際の周波数ホッピングに関する情報を含む、請求項９に記載の通信装置。
【請求項１１】
前記ストリーミング情報受信装置から前記ストリーミング情報送信装置を識別するためのアドレス情報を受信するアドレス情報受信部を備え、
前記受信部は、前記アドレス情報に基づいて、前記ストリーミング情報送信装置が送信した前記所定の情報を受信する、請求項９に記載の通信装置。
【請求項１２】
ユーザの操作が入力される操作入力部を備え、
前記ストリーミング情報受信装置は、前記操作入力部へのユーザの操作入力に応じて予め設定されたグループに属する複数の装置へ前記アドレス情報を送信する、請求項１１に記載の通信装置。
【請求項１３】
前記ストリーミング情報受信装置の情報をグループ加入先情報として記憶する記憶部を備え、
前記グループを脱退した場合に、前記グループ加入先情報を削除する、請求項１２に記載の通信装置。
【請求項１４】
前記アドレス情報とともに、暗号化された前記ストリーミング情報を復号化するためのリンクキーを受信する、請求項１１に記載の通信装置。
【請求項１５】
ストリーミング情報をストリーミング情報受信装置へ送信するストリーミング情報送信装置から、前記ストリーミング情報を受信するための所定の情報を受信することと、
前記ストリーミング情報送信装置が前記ストリーミング情報受信装置へ送信した前記ストリーミング情報を、前記所定の情報を用いて受信することと、
を備える、通信方法。
【請求項１６】
ストリーミング情報をストリーミング情報受信装置へ送信するストリーミング情報送信装置から、前記ストリーミング情報を受信するための所定の情報を受信する手段、
前記ストリーミング情報送信装置が前記ストリーミング情報受信装置へ送信した前記ストリーミング情報を、前記所定の情報を用いて受信する手段、
としてコンピュータを機能させるためのプログラム。
【請求項１７】
ストリーミング情報送信装置からストリーミング情報を受信するストリーミング情報受信部と、
前記ストリーミング情報送信装置から送信される前記ストリーミング情報を受信するための所定の情報を第２の通信装置に傍受させるために、前記ストリーミング情報送信装置を識別するためのアドレス情報を前記第２の通信装置へ送信するアドレス情報送信部と、
を有する、第１の通信装置と、
前記第１の通信装置から前記ストリーミング情報送信装置を識別するための前記アドレス情報を受信するアドレス情報受信部と、
前記ストリーミング情報送信装置から、前記ストリーミング情報を受信するための前記所定の情報を受信する受信部と、
前記ストリーミング情報送信装置が前記第１の通信装置へ送信した前記ストリーミング情報を、前記所定の情報を用いて受信するストリーミング情報受信部と、
を有する、前記第２の通信装置と、
を備える、通信システム。
【発明の詳細な説明】
【技術分野】
【０００１】
本開示は、通信装置、通信方法、プログラム、及び通信システムに関する。
【背景技術】
【０００２】
従来、例えば下記の特許文献１には、Ｂｌｕｅｔｏｏｔｈ（登録商標）規格に基づく無線通信方式により、マスタ機器とスレーブ機器を接続し、スレーブ機器を更に下記ピコネットのマスタ機器として接続することが記載されている。
【先行技術文献】
【特許文献】
【０００３】
【特許文献１】特開２００７−６７８６７号公報
【発明の概要】
【発明が解決しようとする課題】
【０００４】
しかしながら、上記特許文献１に記載された技術では、一対一で通信を行うＢｌｕｅｔｏｏｔｈ機器を連鎖的に接続することで複数の機器への情報伝送を可能としているが、末端の機器に情報が伝送されるまでには伝送遅延が発生する問題がある。
また、従来のＢｌｕｅｔｏｏｔｈ仕様（Ｃｏｒｅ  ｖｅｒ.  ４．２）では、２つの機器間における一対一での接続を行い、必要なデータを送受信することが基本として定められている。そのため、１つのオーディオソース機器が複数のオーディオレシーバ機器とＢｌｕｅｔｏｏｔｈ接続してストリーミング通信するためには、オーディオソース機器が、それぞれのオーディオレシーバ機器に対する一対一のリンクを複数構成しなければならない問題がある。この場合、オーディオソース機器は一対一のリンク処理を対向機器（オーディオレシーバ機器）の数だけ実行・管理しなければならず、対向機器が増えるほど必要なリソース(必要なＣＰＵ処理速度やメモリ量)も比例して増加したり、それらの処理の複雑さも増加してしまう。多数の対向機器に対する通信のためのブロードキャスト通信がＢｌｕｅｔｏｏｔｈの仕様にも定められていればリンク処理が対向機器の数に比例して増加することはないが、Ｂｌｕｅｔｏｏｔｈなどの一対一通信は、１つの機器から不特定多数の対向機器に対してデータ送信するためのものであるため、グループ内の対向機器のみに対してストリーミング通信をするには不適である。【０００５】
そこで、一対一通信を行う無線通信方式を利用して、遅延を生じさせることなく複数の機器へ情報伝送を行うことが求められていた。
【課題を解決するための手段】
【０００６】
本開示によれば、ストリーミング情報送信装置からストリーミング情報を受信するストリーミング情報受信部と、前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信するアドレス情報送信部と、を備える、通信装置が提供される。【０００７】
また、本開示によれば、ストリーミング情報送信装置からストリーミング情報を受信することと、前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信することと、を備える、通信方法が提供される。【０００８】
また、本開示によれば、ストリーミング情報送信装置からストリーミング情報を受信する手段、前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信する手段、としてコンピュータを機能させるためのプログラムが提供される。【０００９】
また、本開示によれば、ストリーミング情報をストリーミング情報受信装置へ送信するストリーミング情報送信装置から、前記ストリーミング情報を受信するための所定の情報を受信する受信部と、前記ストリーミング情報送信装置が前記ストリーミング情報受信装置へ送信した前記ストリーミング情報を、前記所定の情報を用いて受信するストリーミング情報受信部と、を備える、通信装置が提供される。【００１０】
また、本開示によれば、ストリーミング情報をストリーミング情報受信装置へ送信するストリーミング情報送信装置から、前記ストリーミング情報を受信するための所定の情報を受信することと、前記ストリーミング情報送信装置が前記ストリーミング情報受信装置へ送信した前記ストリーミング情報を、前記所定の情報を用いて受信することと、を備える、通信方法が提供される。【００１１】
また、本開示によれば、ストリーミング情報をストリーミング情報受信装置へ送信するストリーミング情報送信装置から、前記ストリーミング情報を受信するための所定の情報を受信する手段、前記ストリーミング情報送信装置が前記ストリーミング情報受信装置へ送信した前記ストリーミング情報を、前記所定の情報を用いて受信する手段、としてコンピュータを機能させるためのプログラムが提供される。【００１２】
また、本開示によれば、ストリーミング情報送信装置からストリーミング情報を受信するストリーミング情報受信部と、前記ストリーミング情報送信装置から送信される前記ストリーミング情報を受信するための所定の情報を第２の通信装置に傍受させるために、前記ストリーミング情報送信装置を識別するためのアドレス情報を前記第２の通信装置へ送信するアドレス情報送信部と、を有する、第１の通信装置と、前記第１の通信装置から前記ストリーミング情報送信装置を識別するための前記アドレス情報を受信するアドレス情報受信部と、前記ストリーミング情報送信装置から、前記ストリーミング情報を受信するための前記所定の情報を受信する受信部と、前記ストリーミング情報送信装置が前記第１の通信装置へ送信した前記ストリーミング情報を、前記所定の情報を用いて受信するストリーミング情報受信部と、を有する、前記第２の通信装置と、を備える、通信システムが提供される。
【発明の効果】
【００１３】
以上説明したように本開示によれば、一対一通信を行う無線通信方式を利用して、遅延を生じさせることなく複数の機器へ情報伝送を行うことが可能となる。【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態に係るシステムの概略構成を示す模式図である。
【図２】グループ構成処理が行われる様子を示す模式図である。
【図３】グループ構成処理を示すフローチャートである。
【図４】グループ接続準備処理が行われる様子を示す模式図である。
【図５】グループ構成処理を示すフローチャートである。
【図６】グループ接続処理が行われる様子を示す模式図である。
【図７】グループ構成処理を示すフローチャートである。
【図８】オーディオソース機器、親機であるオーディオレシーバ機器、子機であるオーディオレシーバ機器の構成例を示すブロック図である。
【図９】グループから抜ける場合の処理を示すフローチャートである。
【図１０】グループから抜ける場合の処理を示すフローチャートである。
【図１１】グループから抜ける場合の処理を示すフローチャートである。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．システムの構成例
２．グループ構成処理の実行
３．グループ接続準備処理の実行
４．グループ接続処理の実行
５．親機及び子機の構成例
６．グループ構成処理を行う際の操作
７．グループ接続準備処理を行う際の操作
８．グループから抜ける場合のデータ削除方法
９．グループから抜けた後に再加入する場合の処理
【００１８】
１．システムの構成例
まず、図１を参照して、本開示の一実施形態に係るシステム１０００の概略構成について説明する。図１に示すように、本開示の一実施形態に係るシステム１０００は、１つのオーディオソース機器１００と、複数のオーディオレシーバ機器２００，３００，４００，５００を有している。なお、図１では４つのオーディオレシーバ機器２００，３００，４００，５００を示しているが、オーディオレシーバ機器２００，３００，４００，５００の台数は特に限定されるものではない。このシステム１０００では、ユースケースとして、１つのオーディオソース機器１００(オーディオプレーヤー、スマートフォン等)に保存されている音楽データを、同じグループに属している複数のオーディオレシーバ機器２００，３００，４００，５００(ヘッドホン、スピーカ等)に対してＢｌｕｅｔｏｏｔｈ規格に基づく無線通信方式によるオーディオストリーミング通信を行うことによって、同じ音楽をグループ内の複数のオーディオレシーバ機器２００，３００，４００，５００で同時に共有して聴く。この際、ブロードキャストと違って不特定多数のオーディオレシーバ機器２００，３００，４００，５００に対してストリーミング通信をするわけではないため、グループ内に限定して同じ音楽を共有させることができる。なお、本実施形態では、オーディオソース機器１００から複数のオーディオレシーバ機器２００，３００，４００，５００へ音楽などのオーディオのストリーミングデータを送る例を示すが、他のデータを送っても良い。
【００１９】
オーディオソース機器１００は、オーディオプレーヤー、スマートフォン等の機器であり、複数のオーディオレシーバ機器２００，３００，４００，５００は、ヘッドホン、スピーカ、スマートフォン等の機器である。
【００２０】
複数のオーディオレシーバ機器２００，３００，４００，５００は同一のグループに所属しており、グループ内に親機の役割を担う１つのオーディオレシーバ機器２００と、子機の役割を担うその他のオーディオレシーバ機器３００，４００，５００が存在する。
【００２１】
オーディオソース機器１００は、Ｂｌｕｅｔｏｏｔｈ規格に基づく無線通信方式により、親機であるオーディオレシーバ機器２００のみを接続対象として認識して接続し、一対一通信により、オーディオレシーバ機器２００とオーディオデータのストリーミング（Ｓｔｒｅａｍｉｎｇ）通信を行う。子機である他のオーディオレシーバ機器３００，４００，５００は、オーディオソース機器１００から親機であるオーディオレシーバ機器２００へのストリーミング通信を傍受することにより、オーディオデータを取得して、親機であるオーディオレシーバ機器２００と同じ音楽を再生する。
【００２２】
このような、１つのオーディオソース機器１００から親機であるオーディオレシーバ機器２００へストリーミング通信を行い、子機である他のオーディオレシーバ機器３００，４００，５００がそのストリーミング通信を傍受することによって、同じグループ内の複数のオーディオレシーバ機器２００，３００，４００，５００において、共通の音楽データをストリーミング再生して共有することができる。本実施形態では、この状態をグループストリーミング再生状態と称する。
【００２３】
これにより、例えばオーディオレシーバ機器２００，３００，４００，５００がヘッドホンの場合は、各オーディオレシーバ機器２００，３００，４００，５００のユーザは、共通の音楽を聴くことができる。
【００２４】
グループストリーミング再生状態では、Ｂｌｕｅｔｏｏｔｈ規格に基づく無線通信方式によりオーディオソース機器１００と親機であるオーディオレシーバ機器２００との間で一対一の通信が行われる。一方、子機であるオーディオレシーバ機器３００，４００，５００のそれぞれは、オーディオソース機器１００と一対一通信のリンクを設ける必要がない。このため、ブロードキャスト等の手法を用いて不特定多数の端末へストリーミング配信を行う方法とは異なり、簡易な方法で共通の音楽データを共有することができる。また、オーディオレシーバ機器３００，４００，５００のそれぞれは、オーディオソース機器１００と一対一通信のリンクを設ける必要がないため、ストリーミング配信の帯域を大幅に削減することができる。
【００２５】
オーディオソース機器１００、および複数のオーディオレシーバ機器２００，３００，４００，５００が互いに接続されていない状態から、グループストリーミング再生状態に至るまでの処理内容は次の通りである。以下では、グループストリーミング再生状態に至るまでの処理を、グループ構成処理の実行、グループ接続準備処理の実行、グループ接続処理の実行の３段階に分けて詳細に説明する。なお、以下では、オーディオレシーバ機器２００，３００，４００，５００のうち３つのオーディオレシーバ機器２００，３００，４００がグループを構成するものとして説明する。
【００２６】
２．グループ構成処理の実行
図２及び図３に基づいて、グループ構成処理について説明する。図２はグループ構成処理が行われる様子を示す模式図であり、図３はグループ構成処理を示すフローチャートである。先ず、ステップＳ１０では、親機であるオーディオレシーバ機器２００が、ストリーミング再生を共有するグループのメンバー(オーディオレシーバ機器群)をオーディオレシーバ機器３００，４００の２つに決定する。
【００２７】
次に、ステップＳ１１では、親機であるオーディオレシーバ機器２００が、オーディオレシーバ機器３００，４００のグループ加入受付を開始する。
【００２８】
次に、ステップＳ１２では、子機であるオーディオレシーバ機器３００が親機であるオーディオレシーバ機器２００とＢｌｕｅｔｏｏｔｈ接続をして、子機であるオーディオレシーバ機器３００から親機であるオーディオレシーバ機器２００へグループ加入要求コマンドが送信される。
【００２９】
次に、ステップＳ１４では、親機であるオーディオレシーバ機器２００から子機であるオーディオレシーバ機器３００へグループ加入完了コマンドが返信され、子機であるオーディオレシーバ機器３００が親機であるオーディオレシーバ機器２００とのＢｌｕｅｔｏｏｔｈ接続を切断する。これにより、親機であるオーディオレシーバ機器２００と子機であるオーディオレシーバ機器３００は、接続先の相手を識別するためのアドレス情報（ＢＤ＿ＡＤＤＲ）を認識する。
【００３０】
次に、ステップＳ１６では、子機であるオーディオレシーバ機器４００と親機であるオーディオレシーバ機器２００の間においても、ステップＳ１２，Ｓ１４と同様の処理を行う。
【００３１】
次に、ステップＳ１８では、親機であるオーディオレシーバ機器２００が子機であるオーディオレシーバ機器３００，４００のグループ加入受付を終了する。これにより、グループのメンバーが確定する。この例では、親機であるオーディオレシーバ機器２００と子機であるオーディオレシーバ機器３００，４００の３台によってグループが構成される。親機であるオーディオレシーバ機器２００は、子機であるオーディオレシーバ機器３００，４００のＢＤ＿ＡＤＤＲをメモリに保存する。同様に、子機であるオーディオレシーバ機器３００，４００は、親機であるオーディオレシーバ機器２００のＢＤ＿ＡＤＤＲをメモリに保存する。
【００３２】
３．グループ接続準備処理の実行
図４及び図５に基づいて、グループ接続準備処理について説明する。図４はグループ接続準備処理が行われる様子を示す模式図であり、図５はグループ構成処理を示すフローチャートである。グループ接続準備処理では、次に行うグループ接続処理のための準備を行う。ここでは、接続待機するオーディオソース機器１００のＢＤ＿ＡＤＤＲをグループ内で共有する。
【００３３】
先ず、ステップＳ２０では、親機であるオーディオレシーバ機器２００が接続待機の準備を開始する。ここでは、親機であるオーディオレシーバ機器２００がメモリに保持しているソース機器情報一覧の中から、接続を待ち受ける相手のオーディオソース機器１００のＢＤ＿ＡＤＤＲを指定する。
【００３４】
次に、ステップＳ２２では、親機であるオーディオレシーバ機器２００が子機であるオーディオレシーバ機器３００とＢｌｕｅｔｏｏｔｈ接続して、親機であるオーディオレシーバ機器２００から子機であるオーディオレシーバ機器３００へ傍受待機要求コマンドが送信される。このとき、傍受を待ち受ける相手であるオーディオソース機器１００のＢＤ＿ＡＤＤＲ、およびリンクキー（Ｌｉｎｋｋｅｙ）が傍受待機要求コマンドとともに送信される。
【００３５】
次に、ステップＳ２４では、子機であるオーディオレシーバ機器３００から親機であるオーディオレシーバ機器２００へ傍受待機開始コマンドが返信され、親機であるオーディオレシーバ機器２００が子機であるオーディオレシーバ機器３００とのＢｌｕｅｔｏｏｔｈ接続を切断する。
【００３６】
次に、ステップＳ２６では、子機であるオーディオレシーバ機器４００と親機であるオーディオレシーバ機器２００の間においても、ステップＳ２２，Ｓ２４と同様の処理を行う。これにより、接続を待ち受ける相手のオーディオソース機器１００のＢＤ＿ＡＤＤＲ、およびリンクキーが、親機であるオーディオレシーバ機器２００、及び子機であるオーディオレシーバ機器３００，４００の間で共有される。親機であるオーディオレシーバ機器２００は、オーディオソース機器１００のＢＤ＿ＡＤＤＲ、およびリンクキーをメモリに保存している。同様に、子機であるオーディオレシーバ機器３００，４００は、オーディオソース機器１００のＢＤ＿ＡＤＤＲ、およびリンクキーをメモリに保存する。
【００３７】
次に、ステップＳ２８では、子機であるオーディオレシーバ機器３００，４００から親機であるオーディオレシーバ機器２００へ傍受待機開始コマンドが返信されると、親機であるオーディオレシーバ機器２００が接続待機の準備を完了し、接続待機を開始する。
【００３８】
なお、上述したグループ構成処理、グループ接続準備処理については、Ｂｌｕｅｔｏｏｔｈ  Ｌｏｗ  Ｅｎｅｒｇｙによる省電力通信を行っても良い。
【００３９】
４．グループ接続処理の実行
図６及び図７に基づいて、グループ接続処理について説明する。図６はグループ接続処理が行われる様子を示す模式図であり、図７はグループ構成処理を示すフローチャートである。グループ接続処理では、オーディオソース機器１００とオーディオレシーバ機器２００，３００，４００がＢｌｕｅｔｏｏｔｈ接続を行う。ここでは、実質的に、オーディオソース機器１００と親機であるオーディオレシーバ機器２００との接続が行われ、オーディオレシーバ機器３００，４００は、オーディオソース機器１００と親機であるオーディオレシーバ機器２００の通信の傍受を行う。
【００４０】
先ず、ステップＳ３０では、オーディオソース機器１００が親機であるオーディオレシーバ機器２００とのＢｌｕｅｔｏｏｔｈ接続を開始して、オーディオソース機器１００が親機であるオーディオレシーバ機器２００へＩＤパケットを送信する。このＩＤパケットは、オーディオソース機器１００のＢＤ＿ＡＤＤＲを含んでいる。
【００４１】
次に、ステップＳ３２では、子機であるオーディオレシーバ機器３００，４００は、ステップＳ３０でオーディオソース機器１００が送信したＩＤパケットを傍受して、オーディオソース機器１００から親機であるオーディオレシーバ機器２００への接続要求として認識する。この際、子機であるオーディオレシーバ機器３００，４００は、図４及び図５で説明したグループ接続準備処理により、接続を待ち受ける相手のオーディオソース機器１００のＢＤ＿ＡＤＤＲを認識している。従って、ステップＳ３２で傍受したＩＤパケットに含まれるＢＤ＿ＡＤＤＲと、グループ接続準備処理で既に認識しているＢＤ＿ＡＤＤＲが一致した場合は、接続を待ち受ける相手のオーディオソース機器１００からオーディオレシーバ機器２００への接続要求として認識することができる。
【００４２】
次に、ステップＳ３４では、親機であるオーディオレシーバ機器２００は、オーディオソース機器１００へＢｌｕｅｔｏｏｔｈ接続要求に対する応答としてＩＤパケットを返信する。このＩＤパケットは、親機であるオーディオレシーバ機器２００のＢＤ＿ＡＤＤＲを含んでいる。
【００４３】
次に、ステップＳ３６では、子機であるオーディオレシーバ機器３００，４００は、ステップＳ３４でオーディオレシーバ機器２００が送信したＩＤパケットを傍受して、親機であるオーディオレシーバ機器２００からオーディオソース機器１００への接続応答として認識する。この際、子機であるオーディオレシーバ機器３００，４００は、親機であるオーディオレシーバ機器２００のＢＤ＿ＡＤＤＲを既に認識しているため、ステップＳ３４でオーディオレシーバ機器２００が送信したＩＤパケットを傍受した際に、親機であるオーディオレシーバ機器２００からオーディオソース機器１００への接続応答として認識することができる。
【００４４】
次に、ステップＳ３８では、オーディオソース機器１００が親機であるオーディオレシーバ機器２００とのＢｌｕｅｔｏｏｔｈ接続を開始して、ＦＨＳ（Ｆｒｅｑｕｅｎｃｙ  Ｈｏｐｐｉｎｇ  Ｓｙｎｃｈｒｏｎｉｚａｔｉｏｎ）パケットを送信する。このＦＨＳパケットは、オーディオソース機器１００のＢＤ＿ＡＤＤＲおよびＢｌｕｅｔｏｏｔｈのＦＨＳ（Ｆｒｅｑｕｅｎｃｙ  Ｈｏｐｐｉｎｇ  Ｓｙｎｃｈｒｏｎｉｚａｔｉｏｎ）のためのＢＴ  Ｃｌｏｃｋを含んでいる。
【００４５】
次に、ステップＳ４０では、子機であるオーディオレシーバ機器３００，４００は、ステップＳ３８でオーディオソース機器１００が送信したＦＨＳパケットを傍受して、オーディオソース機器１００から親機であるオーディオレシーバ機器２００への接続要求として認識する。
【００４６】
オーディオソース機器１００から送信されるストリーミングのデータは、周波数ホッピングされている。具体的には、例えば６２５μｓ毎に７９チャンネルの周波数のいずれかに周波数がホッピングされる。ＦＨＳパケットは、周波数ホッピングの際に、周波数をどのタイミングでどのように変えていくかを示す情報（ＢＴ  Ｃｌｏｃｋ）を含んでいる。従って、子機であるオーディオレシーバ機器３００，４００は、ＦＨＳパケットを傍受することによって、オーディオソース機器１００から親機であるオーディオレシーバ機器２００へ送信された、周波数ホッピングされたストリーミングデータを傍受することが可能となる。なお、ＦＨＳパケットが送信されるまでの間は、所定時間（１．２８秒）毎に７９チャンネルの周波数のいずれかに切り換えが行われるため、切り換えられた周波数に追従することにより通信をすることができる。
【００４７】
次に、ステップＳ４２では、親機であるオーディオレシーバ機器２００は、オーディオソース機器１００へＢｌｕｅｔｏｏｔｈ接続要求に対する応答としてＩＤパケットを返信する。このＩＤパケットは、親機であるオーディオレシーバ機器２００のＢＤ＿ＡＤＤＲを含んでいる。
【００４８】
次に、ステップＳ４４では、子機であるオーディオレシーバ機器３００，４００は、ステップＳ４２で親機であるオーディオレシーバ機器２００が返信したＩＤパケットを傍受して、親機であるオーディオレシーバ機器２００からオーディオソース機器１００への接続応答として認識する。
【００４９】
次に、ステップＳ４６では、オーディオソース機器１００と親機であるオーディオレシーバ機器２００の接続完了と同時に、子機であるオーディオレシーバ機器３００，４００による傍受を開始する。これにより、Ｂｌｕｅｔｏｏｔｈ特有のコマンドのやり取りを開始し、オーディオソース機器１００から親機であるオーディオレシーバ機器２００へストリーミングのデータが送信される。親機であるオーディオレシーバ機器２００は、オーディオソース機器１００からストリーミングのデータが送られると、ＦＨＳパケットに含まれるＢＴ  Ｃｌｏｃｋに基づいて、ストリーミングのデータを受信することができる。子機であるオーディオレシーバ機器３００，４００は、オーディオソース機器１００から親機であるオーディオレシーバ機器２００へストリーミングのデータが送られると、ＦＨＳパケットに含まれるＢＴ  Ｃｌｏｃｋによりストリーミングのデータを傍受することができる。なお、子機であるオーディオレシーバ機器３００，４００は、ストリーミングのデータ以外の不要なコマンドは無視することができ、ストリーミングのデータを傍受した時だけ当該データを受け取って再生を行うことができる。
【００５０】
ＦＨＳパケットにより傍受したストリーミングのデータは暗号化されている。子機であるオーディオレシーバ機器３００，４００は、図４及び図５で説明したグループ接続準備処理によりリンクキー（Ｌｉｎｋｋｅｙ）を取得しているため、Ｌｉｎｋｋｅｙを用いて暗号化されたデータの解読（復号化）を行うことができる。
【００５１】
親機であるオーディオレシーバ機器２００はオーディオソース機器１００からストリーミングのデータを直接受け取って音楽等を再生する。子機であるオーディオレシーバ機器３００，４００は、オーディオソース機器１００からオーディオレシーバ機器２００へ送られたストリーミングのデータを傍受することによって音楽等を再生する。これにより、親機であるオーディオレシーバ機器２００と子機であるオーディオレシーバ機器３００，４００は、同じ曲を共有して再生することができ、グループストリーミング再生を行うことができる。
【００５２】
５．親機及び子機の構成例
図８は、オーディオソース機器１００、親機であるオーディオレシーバ機器２００、子機であるオーディオレシーバ機器３００の構成例を示すブロック図である。図８に示すように、オーディオソース機器１００は、ストリーミング情報送信部１０２を有して構成される。また、親機であるオーディオレシーバ機器２００は、ストリーミング情報受信部２０２、アドレス情報送信部２０４、記憶部（メモリ）２０６、操作入力部２０８、表示部２１０を有して構成される。また、子機であるオーディオレシーバ機器３００は、ストリーミング情報受信部３０２、傍受情報受信部（受信部）３０４、アドレス情報受信部３０６、記憶部（メモリ）３０８、操作入力部３１０、表示部３１２を有して構成される。なお、他の子機（オーディオレシーバ機器４００，５００）の構成は、オーディオレシーバ機器３００と同様である。図８に示すオーディオソース機器１００、親機であるオーディオレシーバ機器２００、子機であるオーディオレシーバ機器３００の各構成要素は、回路（ハードウェア）、またはＣＰＵなどの中央演算処理装置とこれを機能させるためのプログラム（ソフトウェア）によって構成することができる。この場合に、そのプログラムは各機器が備えるメモリ、または各機器に外部から挿入される記録媒体に格納されることができる。
【００５３】
オーディオソース機器１００のストリーミング情報送信部１０２は、ストリーミングデータを親機であるオーディオレシーバ機器２００へ送信する。親機であるオーディオレシーバ機器２００のストリーミング情報受信部２０２は、オーディオソース機器１００から送信されたストリーミングデータを受信する。上述したように、ストリーミングデータを受信する際には、ＦＨＳパケットに含まれるＢＴ  Ｃｌｏｃｋが用いられる。
【００５４】
また、親機であるオーディオレシーバ機器２００のアドレス情報送信部２０４は、子機であるオーディオレシーバ機器３００へオーディオソース機器１００のＢＤ＿ＡＤＤＲ、リンクキーを送信する。記憶部２０６は、オーディオソース機器１００のＢＤ＿ＡＤＤＲ、リンクキー、グループに属する子機のＢＤ＿ＡＤＤＲを含むグループメンバーリスト、を記憶する。また、記憶部２０６は、ＦＨＳパケットに含まれるＢＴ  Ｃｌｏｃｋ等を記憶する。
【００５５】
また、操作入力部２０８は、ボタン、タッチセンサ等から構成され、ユーザによる操作が入力される。表示部２１０は、液晶表示ディスプレイ等から構成され、ユーザの操作入力に応じて親機であることを示す表示を行う。
【００５６】
子機であるオーディオレシーバ機器３００の傍受情報受信部３０４は、オーディオソース機器１００から、ストリーミング情報を受信するための所定の情報として、ＦＨＳパケットを受信する。ストリーミング情報受信部３０２は、オーディオソース機器１００から送信されたストリーミング情報を、ＦＨＳパケットに含まれるＢＴ  Ｃｌｏｃｋを用いて傍受する。アドレス情報受信部３０６は、親機であるオーディオレシーバ機器２００から送信された、オーディオソース機器１００を識別するためのアドレス情報（ＢＤ＿ＡＤＤＲ）を受信する。記憶部３０８は、オーディオソース機器１００のＢＤ＿ＡＤＤＲ、リンクキーを記憶する。また、記憶部３０８は、親機であるオーディオレシーバ機器２００のＢＤ＿ＡＤＤＲをグループ加入先情報として記憶し、ＦＨＳパケットに含まれるＢＴ  Ｃｌｏｃｋ等を記憶する。
【００５７】
また、操作入力部３１０は、ボタン、タッチセンサ等から構成され、ユーザによる操作が入力される。表示部３１２は、液晶表示ディスプレイ等から構成され、ユーザの操作入力に応じて子機であることを示す表示を行う。
【００５８】
６．グループ構成処理を行う際の操作
上述したグループ構成処理を行う場合、例えばオーディオレシーバ機器２００とオーディオレシーバ機器３００，４００を保持するそれぞれのユーザが、親機、子機のいずれかになることを意思表示し、意思表示に応じた操作を操作入力部２０８、操作入力部３０８に対して行う。一例として、オーディオレシーバ機器２００のユーザが操作入力部２０８の親機／子機の入力ボタンを長押しすることで、オーディオレシーバ機器２００が親機として設定される。また、オーディオレシーバ機器３００のユーザが操作入力部３０８の親機／子機の入力ボタンを短押しすることで、オーディオレシーバ機器３００が子機として設定される。なお、オーディオレシーバ機器２００のユーザが操作入力部２０８の親機／子機の入力ボタンを短押しすることで、オーディオレシーバ機器２００が親機として設定されても良く、オーディオレシーバ機器３００のユーザが操作入力部３０８の親機／子機の入力ボタンを長押しすることで、オーディオレシーバ機器３００が子機として設定されても良い。
【００５９】
オーディオレシーバ機器２００が親機として設定され、オーディオレシーバ機器３００が子機として設定されると、上述したグループ構成処理のステップＳ１１〜Ｓ１８の処理が順次に行われる。
【００６０】
表示部２１０、表示部３１０には、親機／子機のいずれに設定されたかを示す表示が行われる。親機であるオーディオレシーバ機器２００の表示部２１０には親機であることを示す表示が行われ、子機であるオーディオレシーバ機器３００の表示部３１０には子機であることを示す表示が行われる。
【００６１】
７．グループ接続準備処理を行う際の操作
上述したグループ接続準備処理を行う場合、図５のステップＳ２０において、親機であるオーディオレシーバ機器２００のユーザが、表示部に表示したソース機器情報一覧の中からオーディオソース機器１００を選択することによって、接続を待ち受ける相手のオーディオソース機器１００のＢＤ＿ＡＤＤＲを指定する。その後、上述したグループ接続準備処理のステップＳ２２〜Ｓ２８の処理が順次に行われる。
【００６２】
親機であるオーディオレシーバ機器２００の表示部２１０と、子機であるオーディオレシーバ機器３００の表示部３１０には、接続を待ち受ける相手がオーディオソース機器１００であることを表示しても良い。
【００６３】
８．グループから抜ける場合のデータ削除方法
次に、子機であるオーディオレシーバ機器３００，４００がグループから抜ける場合のデータの削除方法について説明する。子機であるオーディオレシーバ機器３００，４００は、任意のタイミングでグループストリーミングのグループから抜けることができる。この場合に、親機であるオーディオレシーバ機器２００、子機であるオーディオレシーバ機器３００，４００に保持されたＢＤ＿ＡＤＤＲ、ＦＨＳパケット、リンクキーなどの情報が削除される。削除の方法として、（１）子機から親機への脱退通知に基づいて、親機であるオーディオレシーバ機器２００、子機であるオーディオレシーバ機器３００，４００のそれぞれが消去する方法、（２）親機から子機への脱退通知に基づいて、親機であるオーディオレシーバ機器２００、子機であるオーディオレシーバ機器３００，４００のそれぞれが消去する方法、（３）親機であるオーディオレシーバ機器２００のみがデータを消去する方法、がある。以下では、子機であるオーディオレシーバ機器３００がグループから抜ける（脱退する）場合について説明する。
【００６４】
先ず、上記（１）の方法では、子機であるオーディオレシーバ機器３００がグループ脱退通知を送信する。親機であるオーディオレシーバ機器２００もグループデータを更新し、オーディオレシーバ機器３００をグループメンバーから外す。以下、図９のフローチャートに基づいて詳細に説明する。
【００６５】
先ず、ステップＳ５０では、子機であるオーディオレシーバ機器３００が親機であるオーディオレシーバ機器２００とＢｌｕｅｔｏｏｔｈ接続して、子機であるオーディオレシーバ機器３００から親機であるオーディオレシーバ機器２００へグループ脱退通知コマンドが送信される。
【００６６】
次のステップＳ５２では、親機であるオーディオレシーバ機器２００から子機であるオーディオレシーバ機器３００へグループ脱退受付コマンドが返信され、子機であるオーディオレシーバ機器３００が親機であるオーディオレシーバ機器２００とのＢｌｕｅｔｏｏｔｈ接続を切断する。なお、グループ脱退通知コマンドに対しての拒否応答はないものとする。
【００６７】
次のステップＳ５４では、子機であるオーディオレシーバ機器３００が、グループ脱退通知コマンドの送信先である、オーディオレシーバ機器２００を親とするグループのグループ加入先情報を削除する。
【００６８】
次のステップＳ５６では、親機であるオーディオレシーバ機器２００が、グループ脱退通知コマンド送信元のオーディオレシーバ機器３００の情報をグループメンバーリストから削除する。
【００６９】
次に、上記（２）の方法では、親機であるオーディオレシーバ機器２００からのグループ脱退通知送信に基づいて、子機であるオーディオレシーバ機器３００もデータを消去する。これにより、親機であるオーディオレシーバ機器２００のグループ情報がクリアされる。以下、図１０のフローチャートに基づいて詳細に説明する。
【００７０】
先ず、ステップＳ６０では、親機であるオーディオレシーバ機器２００が子機であるオーディオレシーバ機器３００とＢｌｕｅｔｏｏｔｈ接続して、親機であるオーディオレシーバ機器２００から子機であるオーディオレシーバ機器３００へグループ脱退通知コマンドが送信される。
【００７１】
次のステップＳ６２では、子機であるオーディオレシーバ機器３００から親機であるオーディオレシーバ機器２００へグループ脱退受付コマンドが返信され、親機であるオーディオレシーバ機器２００が子機であるオーディオレシーバ機器３００とのＢｌｕｅｔｏｏｔｈ接続を切断する。なお、グループ脱退通知コマンドに対しての拒否応答はないものとする。
【００７２】
次のステップＳ６４では、子機であるオーディオレシーバ機器３００が、グループ脱退通知コマンドの送信元であるオーディオレシーバ機器２００を親機とするグループのグループ加入先情報を削除する。
【００７３】
次のステップＳ６６では、親機であるオーディオレシーバ機器２００が、グループ脱退通知コマンドの送信先であるオーディオレシーバ機器３００の情報をグループメンバーリストから削除する。
【００７４】
親機であるオーディオレシーバ機器２００が複数の子機をグループから外したい場合には、上記ステップＳ６０〜Ｓ６６の処理が繰り返される。
【００７５】
次に、上記（３）の方法では、親機であるオーディオレシーバ機器２００からグループ脱退通知を行ったが、子機であるオーディオレシーバ機器３００と未接続であったり、または子機であるオーディオレシーバ機器３００から返信がこない場合、上記（１）、（２）のエラーケースとして以下の処理を行う。以下、図１１のフローチャートに基づいて詳細に説明する。
【００７６】
先ず、ステップＳ７０では、親機であるオーディオレシーバ機器２００が子機であるオーディオレシーバ機器３００とＢｌｕｅｔｏｏｔｈ接続して、親機であるオーディオレシーバ機器２００から子機であるオーディオレシーバ機器３００へグループ脱退通知コマンドの送信を試みる。
【００７７】
次のステップＳ７２では、親機であるオーディオレシーバ機器２００が子機であるオーディオレシーバ機器３００とＢｌｕｅｔｏｏｔｈ接続できるか否かを判定し、Ｂｌｕｅｔｏｏｔｈ接続できない場合には、タイムアウトしてＢｌｕｅｔｏｏｔｈ接続をあきらめ、ステップＳ７８へ進む。
【００７８】
一方、ステップＳ７２でＢｌｕｅｔｏｏｔｈ接続できた場合は、ステップＳ７４へ進む。ステップＳ７４では、一定時間の間に子機であるオーディオレシーバ機器３００から親機であるオーディオレシーバ機器２００へグループ脱退受付コマンドが返信されたか否かを判定する。そして、一定時間たっても子機であるオーディオレシーバ機器３００から親機であるオーディオレシーバ機器２００へグループ脱退受付コマンドが返信されない場合には、タイムアウトしたあと子機であるオーディオレシーバ機器３００とのＢｌｕｅｔｏｏｔｈ接続を切断してステップＳ７８へ進む。
【００７９】
一方、ステップＳ７４において、一定時間内に子機であるオーディオレシーバ機器３００から親機であるオーディオレシーバ機器２００へグループ脱退受付コマンドが返信された場合は、ステップＳ７６へ進み、図１０のステップＳ６４以降の処理を行う。
【００８０】
ステップＳ７８では、親機であるオーディオレシーバ機器２００が、グループ脱退通知コマンドの送信先であるオーディオレシーバ機器３００の情報をグループメンバーリストから削除する。
【００８１】
次のステップＳ７９では、「グループ接続準備処理」完了後の状態(グループストリーミング再生状態も含む)であれば、親機であるオーディオレシーバ機器２００がオーディオソース機器１００との接続を切断する。
【００８２】
９．グループから抜けた後に再加入する場合の処理
次に、子機であるオーディオレシーバ機器３００がグループから抜けた後、グループに再加入する場合の処理について説明する。
【００８３】
上述した「グループ接続処理」の完了後に再加入する場合、オーディオソース機器１００と親機であるオーディオレシーバ機器２００との接続を一旦切断する。この際、グループに加入している他のオーディオレシーバ機器４００による傍受も停止する。その後、上述した「グループ構成処理」を実行し、子機であるオーディオレシーバ機器３００をグループに追加する。
【００８４】
その後、「グループ接続準備処理」の実行、「グループ接続処理」の実行を順次に行って、子機であるオーディオレシーバ機器３００の再加入処理を行う。
【００８５】
以上説明したように本実施形態によれば、オーディオソース機器１００と親機であるオーディオレシーバ機器２００とがＢｌｕｅｔｏｏｔｈ規格に基づく無線通信方式により音楽等のストリーミングデータの送受信を行う。一方、子機である他のオーディオレシーバ機器３００，４００，５００は、オーディオソース機器１００から親機であるオーディオレシーバ機器２００へのストリーミング通信を傍受するための情報を取得する。これにより、子機であるオーディオレシーバ機器３００，４００，５００は、ストリーミング通信を傍受するための情報を用いて、オーディオソース機器１００から親機であるオーディオレシーバ機器２００へのストリーミング通信を傍受することができる。従って、親機であるオーディオレシーバ機器２００と子機であるオーディオレシーバ機器３００，４００，５００が同時に音楽等を再生するグループストリーミング再生状態を実現することが可能となる。これにより、１つのオーディオソース機器１００が配信する音楽などを限定されたグループ内で共有して聴くことができる。また、現状のＢｌｕｅｔｏｏｔｈ規格を変更することなく実現が可能であるため、仕様を変更することなく早期の実現が可能となる。
【００８６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８７】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００８８】
なお、以下のような構成も本開示の技術的範囲に属する。
（１）  ストリーミング情報送信装置からストリーミング情報を受信するストリーミング情報受信部と、
前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信するアドレス情報送信部と、
を備える、通信装置。
（２）  前記所定の情報は、前記ストリーミング情報を通信する際の周波数ホッピングに関する情報を含む、前記（１）に記載の通信装置。
（３）  ユーザの操作が入力される操作入力部を備え、
前記操作入力部へのユーザの操作入力に応じて予め設定されたグループに属する複数の前記傍受装置へ前記アドレス情報を送信する、前記（１）又は（２）に記載の通信装置。
（４）  前記グループに属する複数の前記傍受装置のリストを記憶する記憶部を備え、
前記傍受装置の少なくとも１つが前記グループを脱退した場合に、脱退した前記傍受装置をリストから削除する、前記（３）に記載の通信装置。
（５）  前記アドレス情報とともに、暗号化された前記ストリーミング情報を復号化するためのリンクキーを前記傍受装置へ送信する、前記（１）〜（４）のいずれかに記載の通信装置。
（６）  前記傍受装置は、前記ストリーミング情報送信装置が送信した前記ストリーミング情報を、前記所定の情報を用いて受信する、前記（１）〜（５）のいずれかに記載の通信装置。
（７）  ストリーミング情報送信装置からストリーミング情報を受信することと、
前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信することと、
を備える、通信方法。
（８）  ストリーミング情報送信装置からストリーミング情報を受信する手段、
前記ストリーミング情報送信装置から送信される前記ストリーミング情報を受信するための所定の情報を傍受装置に傍受させるために、前記ストリーミング情報送信装置を識別するためのアドレス情報を前記傍受装置へ送信する手段、
としてコンピュータを機能させるためのプログラム。
（９）  ストリーミング情報をストリーミング情報受信装置へ送信するストリーミング情報送信装置から、前記ストリーミング情報を受信するための所定の情報を受信する受信部と、
前記ストリーミング情報送信装置が前記ストリーミング情報受信装置へ送信した前記ストリーミング情報を、前記所定の情報を用いて受信するストリーミング情報受信部と、
を備える、通信装置。
（１０）  前記所定の情報は、前記ストリーミング情報を通信する際の周波数ホッピングに関する情報を含む、前記（９）に記載の通信装置。
（１１）  前記ストリーミング情報受信装置から前記ストリーミング情報送信装置を識別するためのアドレス情報を受信するアドレス情報受信部を備え、
前記受信部は、前記アドレス情報に基づいて、前記ストリーミング情報送信装置が送信した前記所定の情報を受信する、前記（９）又は（１０）に記載の通信装置。
（１２）  ユーザの操作が入力される操作入力部を備え、
前記ストリーミング情報受信装置は、前記操作入力部へのユーザの操作入力に応じて予め設定されたグループに属する複数の装置へ前記アドレス情報を送信する、前記（１１）に記載の通信装置。
（１３）  前記ストリーミング情報受信装置の情報をグループ加入先情報として記憶する記憶部を備え、
前記グループを脱退した場合に、前記グループ加入先情報を削除する、前記（１２）に記載の通信装置。
（１４）  前記アドレス情報とともに、暗号化された前記ストリーミング情報を復号化するためのリンクキーを受信する、前記（１１）〜（１３）のいずれかに記載の通信装置。
（１５）  ストリーミング情報をストリーミング情報受信装置へ送信するストリーミング情報送信装置から、前記ストリーミング情報を受信するための所定の情報を受信することと、
前記ストリーミング情報送信装置が前記ストリーミング情報受信装置へ送信した前記ストリーミング情報を、前記所定の情報を用いて受信することと、
を備える、通信方法。
（１６）  ストリーミング情報をストリーミング情報受信装置へ送信するストリーミング情報送信装置から、前記ストリーミング情報を受信するための所定の情報を受信する手段、
前記ストリーミング情報送信装置が前記ストリーミング情報受信装置へ送信した前記ストリーミング情報を、前記所定の情報を用いて受信する手段、
としてコンピュータを機能させるためのプログラム。
（１７）  ストリーミング情報送信装置からストリーミング情報を受信するストリーミング情報受信部と、
前記ストリーミング情報送信装置から送信される前記ストリーミング情報を受信するための所定の情報を第２の通信装置に傍受させるために、前記ストリーミング情報送信装置を識別するためのアドレス情報を前記第２の通信装置へ送信するアドレス情報送信部と、
を有する、第１の通信装置と、
前記第１の通信装置から前記ストリーミング情報送信装置を識別するための前記アドレス情報を受信するアドレス情報受信部と、
前記ストリーミング情報送信装置から、前記ストリーミング情報を受信するための前記所定の情報を受信する受信部と、
前記ストリーミング情報送信装置が前記第１の通信装置へ送信した前記ストリーミング情報を、前記所定の情報を用いて受信するストリーミング情報受信部と、
を有する、前記第２の通信装置と、
を備える、通信システム。
【符号の説明】
【００８９】
１００    オーディオソース機器
２００，３００，４００，５００    オーディオレシーバ機器
２０２    ストリーミング情報受信部
２０４    アドレス情報送信部
２０６    記憶部
２０８    操作入力部
３０２    ストリーミング情報受信部
３０４    傍受情報受信部
３０６    アドレス情報受信部
３０８    記憶部
３１０    操作入力部
【図１】
2016203877.tif 000003
【図２】
2016203877.tif 000004
【図３】
2016203877.tif 000005
【図４】
2016203877.tif 000006
【図５】
2016203877.tif 000007
【図６】
2016203877.tif 000008
【図７】
2016203877.tif 000009
【図８】
2016203877.tif 000010
【図９】
2016203877.tif 000011
【図１０】
2016203877.tif 000012
【図１１】
2016203877.tif 000013
【国際調査報告】
2016203877.tif 000014
2016203877.tif 000015
2016203877.tif 000016